(57)【要約】【課題】            ビデオディスプレイ装置に表示された情報を見た当該情報の受け手がその場で直ちにこの情報にアクセスして詳しい情報を引き出せるようにした、情報通信システムを提供する。【解決手段】        複数のビデオディスプレイ装置と、この複数のビデオディスプレイ装置に設置された第１近接通信手段と、この第１近接通信手段と前記ビデオディスプレイ装置を制御する制御手段と、第２近接通信手段を有しこの第２近接通信手段を介して受信した各種情報を表示部に表示可能な移動体通信端末とから成り、前記ビデオディスプレイ装置に表示された情報に基づいて前記第２近接通信手段より前記第１近接通信手段にアクセスすると、前記第１近接通信手段より前記ビデオディスプレイ装置に表示された情報のさらに詳しい情報が前記第２近接通信手段に送られ、少なくとも画像により前記移動体通信端末の表示部に表示される。【選択図】          図２
2005204172.tif 000002
【特許請求の範囲】
【請求項１】
複数のビデオディスプレイ装置と、この複数のビデオディスプレイ装置に設置された第１近接通信手段と、この第１近接通信手段と前記ビデオディスプレイ装置を制御する制御手段と、第２近接通信手段を有しこの第２近接通信手段を介して受信した各種情報を表示部に表示可能な移動体通信端末とから成り、前記ビデオディスプレイ装置に表示された情報に基づいて前記第２近接通信手段より前記第１近接通信手段にアクセスすると、前記第１近接通信手段より前記ビデオディスプレイ装置に表示された情報のさらに詳しい情報が前記第２近接通信手段に送られ、少なくとも画像により前記移動体通信端末の表示部に表示されることを特徴とする、情報通信システム。
【請求項２】
前記ビデオディスプレイ装置は、各種交通機関の駅の構内、及び又はホーム、及び又は待合室等に単数又は複数設置されることを特徴とする、請求項１に記載の情報通信システム。
【請求項３】
前記ビデオディスプレイ装置は、空港ターミナル、デパート、スーパー、イベント会場の人の集まる場所に設置されることを特徴とする、請求項１に記載の情報通信システム。
【請求項４】
前記制御手段は、前記複数のビデオディスプレイ装置を統括制御する制御手段と、これらの制御手段の複数のものを統括制御する中央制御手段で構成されていることを特徴とする、請求項１乃至３のいずれかに記載の情報通信システム。
【請求項５】
前記近接通信手段が、ブルートゥース或は赤外線通信であることを特徴とする、請求項１乃至４のいずれかに記載の情報通信システム。
【請求項６】
前記移動体通信端末が、携帯電話機であることを特徴とする、請求項１乃至５のいずれかに記載の情報通信システム。
【発明の詳細な説明】
【技術分野】
【０００１】
この発明は、とくに交通機関に設置して好適な情報通信システムに関する。
【背景技術】
【０００２】
近年、交通機関の構内やホーム及び車両内等にビデオディスプレイ装置を設置してさまざまな広告宣伝、チケット販売、その他の各種情報を提供する情報提供システムが知られているが、そのようなものの公知文献として、この出願人が出願して権利を取得した下記特許文献のものが公知である。
【０００３】
【特許文献１】第２５６９０２５号特許公報  この特許文献１に記載されたものは、各駅の切符売り場やホーム等に設置された複数のビデオディスプレイ装置と、このビデオディスプレイ装置を統括するために各駅に設置された複数の制御部と、この複数の駅に設置した制御部を統括制御する中央制御部から成るもので、中央制御部より画像伝達路を介して各制御部に予め記憶してある広告宣伝その他の情報の画像を送り、制御部がこれを中継してビデオディスプレイ装置にこれらの情報の画像を表示させる構成となっていた。
【発明の開示】
【発明が解決しようとする課題】
【０００４】
この特許文献１に記載された情報提供システムは、現在実際に稼動中の他の情報提供システムのものも含めて、一方的に情報を提供するにとどまり、この情報の受け手の方が情報に直接アクセスすることができなかったので、さらに詳しい情報を知りたい場合には、これを記録するなどして記憶にとどめておき、改めて情報源に問い合わせる必要があった。
【０００５】
この発明の目的は、ビデオディスプレイ装置に表示された情報を見た当該情報の受け手がその場で直ちにこの情報にアクセスして詳しい情報を引き出せるようにした、情報通信システムを提供せんとするにある。
【０００６】
以下にこの発明の一実施例を交通機関に設置した場合について説明するが、この発明はこのものに限定されるものではなく、他にもイベント会場、デパート、スーパー、空港ターミナルビル、飛行機内等の人が行き交ったり集まったりするさまざまな場所に設置することが可能である。
【課題を解決するための手段】
【０００７】
上述した目的を達成するためにこの発明は、複数のビデオディスプレイ装置と、この複数のビデオディスプレイ装置に設置された第１近接通信手段と、この第１近接通信手段と前記ビデオディスプレイ装置を制御する制御手段と、第２近接通信手段を有しこの第２近接通信手段を介して受信した各種情報を表示部に表示可能な移動体通信端末とから成り、前記ビデオディスプレイ装置に表示された情報に基づいて前記第２近接通信手段より前記第１近接通信手段にアクセスすると、前記第１近接通信手段より前記ビデオディスプレイ装置に表示された情報のさらに詳しい情報が前記第２近接通信手段に送られ、少なくとも画像により前記移動体通信端末の表示部に表示されることを特徴とする。
【０００８】
その際にこの発明は、前記ビデオディスプレイ装置を、各種交通機関の駅の構内、及び又はホーム、及び又は待合室等に単数又は複数設置することができる。
【０００９】
さらにこの発明は、前記ビデオディスプレイ装置を、空港ターミナル、デパート、スーパー、イベント会場の人の集まる場所に設置することもできる。
【００１０】
さらにこの発明は、前記制御手段を、前記複数のビデオディスプレイ装置を統括制御する制御手段と、これらの制御手段の複数のものを統括制御する中央制御手段で構成することができる。
【００１１】
さらにこの発明は、前記近接通信手段を、ブルートゥース或は赤外線通信とすることができる。
【００１２】
そして、この発明はさらに、前記移動体通信端末を、携帯電話機とすることができるものである。
【発明の効果】
【００１３】
この発明は以上のように構成したので、さまざまな場所でビデオディスプレイ装置に表示された情報を見た該情報の受け手は、近接通信手段を用いて直ちに詳しい情報を得ることができるものであることから、情報の入手量が大きく増大するものである。
【発明を実施するための最良の形態】
【００１４】
以下にこの発明の一実施例を図面に基づいて詳細に説明する。
【実施例１】
【００１５】
図１は、この発明に係る情報通信システムの一例を示すブロック図である。図面において指示記号１のものは、複数のビデオディスプレイ装置であり、例えばＣＲＴ、液晶ディスプレイ装置、プラズマディスプレイ装置等から成り、各駅の構内や地下鉄のホーム、待合室、切符売り場等に設置される。
【００１６】
指示記号２のものは、これらのビデオディスプレイ装置に設けられたブルートゥースや赤外線通信のような第１近接通信手段である。
【００１７】
指示記号３のものは複数のビデオディスプレイ装置１と第１近接通信手段２を統括制御する制御部であり、好ましくは各駅ごとに設置される。
【００１８】
指示記号４のものは、各駅の制御部３を統括制御する中央制御部であり、好ましくは各路線を制御する中央制御室その他の場所に設置される。
【００１９】
中央制御部４と制御部３とは、無線或は有線による通信回線によって結ばれており、制御部３と各ビデオディスプレイ装置１との間も、無線或は有線による通信方法によって結ばれている。
【００２０】
指示記号５のものは、情報の受け手が持っている、例えば携帯電話機のような移動体通信端末を示し、この移動体通信端末５は、受信した各種情報を表示部に表示可能なブルートゥース（ｂｌｕｅｔｏｏｔｈ）や赤外線通信（ＩＲ）等の第２近接通信手段６を搭載している。
【００２１】
第１近接通信手段２は、第２近接通信手段６と同じ構造を有しており、第２近接通信手段６からのアクセスを受け、その内容を制御部３に伝え、この制御部３に蓄積されている詳細情報のうち受け手が希望する情報を第２近接通信手段６に送信する機能を有している。つまり、第１近接通信手段２と第２近接通信手段６は、相互に通信が可能である。
【００２２】
図２は、この発明の要部を示すブロック図であり、制御部３の演算処理装置１０は、通信制御装置１１を介して図示してない中央制御部へのデータ伝送路１２に接続されており、さらにディスプレイ・キーボード１３ａ、固定ディスク１３ｂ、フロッピーディスク１３ｃ、及びプリンタ１３ｄ等から成る周辺機器１３が接続されている。
【００２３】
各ビデオディスプレイ装置１は、ビデオスイッチャー１５に接続されると共に、このビデオスイッチャー１５には、ビデオ信号変換装置１６を介して画像メモリ１７が接続され、ビデオディスク１８を介して制御装置１９が接続され、ビデオテープレコーダー２０を介して制御装置２１が接続されている。そして、画像メモリ１７、制御装置１９、制御装置２１は、演算処理装置１０へ接続されている。
【００２４】
ビデオスイッチャー１５はさらに、画像伝送路２２を介して図示してない中央制御部へ接続されており、画像メモリ１７、制御装置１９、及び制御装置２１で画像記憶送出手段２３を構成している。
【００２５】
各ビデオディスプレイ装置１には、上述したように第１近接通信手段２が設置されており、この第１近接通信手段２は、演算処理装置１０へ接続されている。そして、図２において、指示記号５のものは、上述したように情報の受け手が持っている例えば携帯電話機のような移動体通信端末であり、上述したような第２近接通信手段６を搭載させている。
【００２６】
図３は、ビデオディスプレイ装置１側に設けた第１近接通信手段２としてのブルートゥースの回路ブロック図を示す。この第１近接通信手段２は、ベースバンド回路２６、ＲＦ回路２７、アンテナ２８とから成り、ベースバンド回路２８にＲＦ回路２７を介してアンテナ２８が接続される構成である。そしてベースバンド回路２６が制御部３の演算処理装置１０へ接続されている。
【００２７】
ベースバンド回路２６は、受信データを演算処理装置１０において処理可能なデータ列に変換するプロトコル処理、及び送信データをＲＦ回路２７において扱える信号に変換するプロトコル処理を行い、ＲＦ回路２７は、アンテナ２８によって受信した信号を基本周波数信号とのミキシングによって中央周波数信号に変換したのちベースバンド回路２６において処理可能なディジタル信号に復調する処理、及びベースバンド回路２６においてプロトコル処理された送信信号を２．４５ＧＨｚの無線電波に変調する処理を行い、アンテナ２８は、移動体通信端末５の第２近接通信手段６との間で送受信を行う。
【００２８】
この第１近接通信手段２は、制御部３の演算処理装置１０によってその動作制御が統括され、この演算処理装置１０は、送話部におけるキー入力やジョグダイヤル操作に基づいて固定ディスク１３ｂやフロッピーディスク１３ｃ等の周辺機器１３からの所要の制御プログラムを読み出して、それぞれの動作に対応する制御を行う。
【００２９】
図４は、移動体通信端末５の代表例である携帯電話機の構成の一例を示すブロック図であり、図面によれば、本体ケーシングに取り付けられたアンテナ３０には、送受信回路３１、データ処理回路３２、マイクロプロセッサであるＤＳＰ３３が接続されている。このＤＳＰ３３には、音声コーデック３４、マイク３５、変調送信回路３６、及び受信復調回路３７を介してスピーカー３８が接続されている。データ処理回路３２とＤＳＰ３３は、ＣＰＵ３９が接続され、このＣＰＵ３９に、ＬＣＤドライバ４０を介してディスプレイパネル４１が接続されると共に、さらに外部１／Ｆ４２を介してパーソナルコンピュータ等との接続を行うコネクタ４３、ＳＲＡＭ４４、ＲＯＭ４５、及び操作部４６が接続されている。
【００３０】
指示記号６は、ブルートゥースから成る第２近接通信手段であり、その構成はＣＰＵ３９に接続されたベースバンド回路４７と、このベースバンド回路４７にＲＦ回路４８を介して接続したアンテナ４９とから成る。指示記号５０のＲＡＭは、ＣＰＵ３９に接続されており、このＲＡＭ５０は、この第２近接通信手段６を介して送受信されるデータを記憶し、ベースバンド回路４７は、受信データをＣＰＵ３９において処理可能なデータ列に変換するプロトコル処理、及び送信データをＲＦ回路４８において扱える信号に変換するプロトコル処理を行い、ＲＦ回路４８は、アンテナ４９によって受信した信号を基本周波数信号とのミキシングによって中間周波数信号に変換したのちベースバンド回路４７において処理可能なディジタル信号に復調する処理、及びベースバンド回路４７においてプロトコル処理された送信信号を２．４５ＧＨｚの無線電波に変調する処理を行い、アンテナ４９は、上述した第１近接通信手段２のアンテナ２８との間で信号の送受信を行う。
【００３１】
さらに、ＣＰＵ３９は、第２近接通信手段６を介して行われる第１近接通信手段２との間での音声信号やデータ信号の送受信の制御を行う。
【００３２】
図５は、第１近接通信手段と第２近接通信手段の通信時のフローチャートを示す。ビデオディスプレイ装置が作動中は、第１近接通信手段はスタンバイ状態Ｓ１にある。近接通信手段を有している、例えば携帯電話機のような移動体通信端末を持っている人が駅の構内やホームにおいて、ビデオディスプレイ装置に表示された広告宣伝、催事等の情報を見た時に、もっと詳しい情報を知りたい場合には、第２近接通信手段を用いてビデオディスプレイ装置に設置した第１近接通信手段にアクセスする信号を発信Ｓ２させる。すると、スタンバイ状態Ｓ１にある第１近接通信手段２はこれをアンテナで受信Ｓ３して、制御部へ信号を送り、この制御部の演算処理装置よりベースバンド回路及びＲＦ回路を介してアンテナよりメニューリストを発信Ｓ４する。すると、移動体通信端末は、第２近接通信手段のアンテナでこのメニューリストを受信Ｓ５して、ＣＰＵを介してディスプレイパネルに表示するので、操作者はこのメニューリストを見て知りたい情報欄を選択Ｓ６すると、第１近接通信手段がこれを受信Ｓ７して制御部へ送ると、制御部からは詳細情報が送られてくるので、これを発信Ｓ８すると、移動体通信端末の第２近接通信手段がこれを受信Ｓ９し、ディスプレイパネルに表示するので、この情報を入手Ｓ１０し、終了発信Ｓ１１を行うと、第１近接通信手段がこれを受信Ｓ１２し、通信切断Ｓ１３を行い、スタンバイ状態Ｓ１に戻る。勿論、この詳細情報表示は音声でなされても良いし、音声と映像の双方でなされても良い。
【００３３】
図６は、ビデオディスプレイ装置を地下鉄の駅のホーム５２の壁に設置した場合を示し、外部からの電波の届かない、地下鉄内のホームにおいて、ビデオディスプレイ装置１に表示された情報を見た情報の受け手Ａが、第２近接通信手段を搭載した携帯電話機Ｂを用いて、ビデオディスプレイ装置１に設置した第１近接通信手段と交信して、上述したようにさらに詳しい情報を入手することができるものである。
【００３４】
図７は、第１近接通信手段２付きのビデオディスプレイ装置１を電車の車両５５内に設置した場合を示し、図８は駅の構内の待合室５７に第１近接通信手段付きのビデオディスプレイ装置１を設置した場合を示す。尚、ビデオディスプレイ装置の設置場所、これらの限定されるものではなく、催事場、空港の待合室、デパート、スーパー等の人が行き交いかつ人が集まりやすい場所に設置することができる。
【産業上の利用可能性】
【００３５】
ビデオディスプレイ装置に表示された情報のさらに詳しい情報を近接通信手段を用いて受け取ることができるので、外部からの電波の届きにくい地下鉄の構内やホームにおいても必要とする情報を個別に入手することができる上に、しかも無料であることから、携帯電話機が近接通信手段を搭載されたものが普及すると、その利用度は飛躍的に増大し、広告宣伝効果を上げ、駅、デパート、イベント会場等がさまざまな情報の発信基地となるものである。
【図面の簡単な説明】
【００３６】
【図１】この発明に係る情報通信システムのブロック図である。
【図２】この発明に係る情報通信システムの制御部の回路構成を示すブロック図である。
【図３】ビデオディスプレイ装置の側に設けられる第１近接通信手段の回路構成を示すブロック図である。
【図４】この発明に係る情報通信システムの移動体通信端末の回路構成を示すブロック図である。
【図５】この発明に係る情報通信システムの通信手順を示すフローチャートである。
【図６】ビデオディスプレイ装置を地下鉄の駅のホームに設置した場合を示す説明図である。
【図７】ビデオディスプレイ装置を電車の車両内に設置した場合を示す説明図である。
【図８】ビデオディスプレイ装置を駅等の待合室に設置した場合を示す説明図である。
【符号の説明】
【００３７】
１  ビデオディスプレイ装置
２  第１近接通信手段
３  制御部
４  中央制御部
５  移動体通信端末
６  第２近接通信手段
１０  演算処理装置
１１  通信制御装置
１２  データ伝送路
１３  周辺機器
１３ａ  ディスプレイ・キーボード
１３ｂ  固定ディスク
１３ｃ  記憶装置
１３ｄ  プリンタ
１５  ビデオスイッチャー
１６  ビデオ信号変換装置
１７  画像メモリ
１８  ビデオディスク
１９  制御装置
２０  ビデオテープレコーダー
２１  制御装置
２２  画像伝送路
２３  画像記憶手段
２６  ベースバンド回路
２７  ＲＦ回路
２８  アンテナ
３０  アンテナ
３１  送受信回路
３２  データ処理回路
３３  ＤＳＰ
３４  音声コーデック
３５  マイク
３６  変調送信回路
３７  受信復調回路
３８  スピーカー
３９  ＣＰＵ
４０  ＬＣＤドライバ
４１  ディスプレイパネル
４２  Ｉ／Ｆ
４３  コネクタ
４４  ＳＲＡＭ
４５  ＲＯＭ
４６  操作部」
４７  ベースバンド回路
４８  ＲＦ回路
４９  アンテナ
５０  ＲＡＭ
５５  車両
５７  待合室
Ｓ１  スタンバイ状態
Ｓ２  発信
Ｓ３  受信
Ｓ４  メニューリスト発信
Ｓ５  メニューリスト受信
Ｓ６  選択
Ｓ７  受信
Ｓ８  発信
Ｓ９  受信
Ｓ１０  入手
Ｓ１１  終了発信
Ｓ１２  終了発信を受信
Ｓ１３  通信切断
Ａ  受け手
Ｂ  携帯電話機
【図１】
2005204172.tif 000003
【図２】
2005204172.tif 000004
【図３】
2005204172.tif 000005
【図４】
2005204172.tif 000006
【図５】
2005204172.tif 000007
【図６】
2005204172.tif 000008
【図７】
2005204172.tif 000009
【図８】
2005204172.tif 000010